(57)【要約】  流動する非極性流体を支持するためのマイクロデバイスが開示されている。マイクロデバイスは、１又は複数の両親媒性層により少なくとも部分的にコーティングされた基板を含む。デバイスを生物学的及び化学分析に用いるための方法も開示されている。
2013536434.tif 000002
【特許請求の範囲】
【請求項１】
少なくとも１個の流体チャネルと、前記少なくとも１個のチャネルに電場を形成するよう構成された少なくとも一対の電極とを含むマイクロ流体デバイスであって、前記少なくとも１個のチャネルの内部が、１又は複数の両親媒性層により少なくとも部分的にコーティングされているマイクロ流体デバイス。
【請求項２】
前記１又は複数の両親媒性層が、１又は複数の脂質層を含む、請求項１に記載のデバイス。
【請求項３】
前記１又は複数の基板を被覆する前記１又は複数の脂質層が、二重層を形成する、請求項２に記載のデバイス。
【請求項４】
前記１又は複数の脂質層が、紐状ミセルを形成する、請求項２に記載のデバイス。
【請求項５】
前記１又は複数の脂質層が、前記チャネルの内部に疎水性空間を形成する、請求項２に記載のデバイス。
【請求項６】
前記１又は複数の脂質層が、リン脂質、スフィンゴ脂質又は糖脂質の少なくとも１種を含む、請求項２〜５のいずれかに記載のデバイス。
【請求項７】
前記リン脂質が、ホスファチジルコリン、ホスファチジルセリン、ホスファチジルエタノールアミン及びホスファチジルグリセロールからなる群から選択される、請求項２〜６のいずれかに記載のデバイス。
【請求項８】
前記１又は複数の脂質層が、前記チャネルの内部疎水性領域の容積を画定する脂肪酸アシル鎖長を有する、請求項２〜７のいずれかに記載のデバイス。
【請求項９】
前記脂肪酸アシル鎖長が、２〜３０である、請求項８に記載のデバイス。
【請求項１０】
前記少なくとも１個のチャネルの内部が、前記１又は複数の両親媒性層により完全に被覆されている、請求項１〜９のいずれかに記載のデバイス。
【請求項１１】
前記少なくとも１個のチャネルが、約０．１μｍ〜約５００μｍの間の直径を有する、請求項１〜１０のいずれかに記載のデバイス。
【請求項１２】
前記少なくとも一対の電極の各電極が、前記電極対の他方の電極の真正面又は前記電極からオフセットして、前記少なくとも１個のチャネルの横方向に反対側の壁に位置する、請求項１〜１１のいずれかに記載のデバイス。
【請求項１３】
負に帯電した電極が、前記チャネルの一側面において延在し、正に帯電した電極が、前記チャネルの反対側の側面において延在する、請求項１２に記載のデバイス。
【請求項１４】
前記少なくとも一対の電極と電気接続した電圧制御器を更に含む、請求項１〜１３のいずれかに記載のデバイス。
【請求項１５】
前記電圧制御器に作動可能に連結したコンピュータを更に含む、請求項１４に記載のデバイス。
【請求項１６】
前記少なくとも１個のチャネルの境界が、ガラス、石英、白金、ステンレス鋼、銅、アルミニウム、ニッケル、金、チタン、セラミック、ダイヤモンド、シリコン、窒化シリコン、シリコーン、高密度ポリエチレン、ポリエチレンテレフタラート、ポリジメチルシロキサン、ポリメチルメタクリレート、ポリスチレン、酢酸セルロース、ポリイミド及びポリカーボネートからなる群から選択される１又は複数の材料により画定されている、請求項１〜１５のいずれかに記載のデバイス。
【請求項１７】
前記少なくとも１個のチャネルと流体連絡した１又は複数の入力ポート及び１又は複数の出力ポートを更に含む、請求項１〜１６のいずれかに記載のデバイス。
【請求項１８】
請求項１〜１７のいずれかに記載のデバイスに流体を添加することと、
前記少なくとも１個の流体チャネルに電場を印加して、電気浸透流を発生させることと
を含む、流体を循環又は伝導させる方法。
【請求項１９】
前記流体が、非極性溶媒である、請求項１８に記載の方法。
【請求項２０】
前記非極性溶媒が、プロパン、ブタン、ペンタン、ヘキサン、ヘプタン、オクタン、ノナン、デカン、シクロペンタン、シクロヘキサン、ベンゼン、トルエン、キシレン、スクアレン、ジエチルエーテル、ジイソプロピルエーテル、酢酸エチル、２−ブタノン、四塩化炭素、クロロホルム、塩化メチレン、テトラクロロエタン、トリクロロエタン、ジクロロエタン及び酢酸エチルからなる群から選択される、請求項１９に記載の方法。
【発明の詳細な説明】
【技術分野】
【０００１】
本技術は、全般的には、マイクロ流体工学の分野に関する。本技術は、特に、マイクロ流体デバイス並びにマイクロ流体デバイスを作製及び使用する方法に関する。
【背景技術】
【０００２】
次の説明は、読者の理解の一助となるよう提示されている。提供されている情報や引用されている参考文献のいずれも、先行技術であるとは認められない。
【０００３】
ミクロンサイズのチャネル内で流体を輸送する能力は、ｉｎ  ｖｉｖｏ薬物送達デバイス、微小電気機械システム（ＭＥＭＳ）及び微小化学物質分析システム（μＴＡＳ）等、多くの新技術に重要である。マイクロ流体デバイスにおいて用いられる一般的な流体として、全血試料、細菌細胞懸濁液、タンパク質又は抗体溶液及び様々な緩衝液が挙げられる。マイクロ流体デバイスを用いて、分子拡散係数、流体粘性、ｐＨ、化学結合係数及び酵素反応速度等、種々の測定値を得ることができる。マイクロ流体デバイスの他の用途として、キャピラリ電気泳動、等電点電気泳動、イムノアッセイ、フローサイトメトリー、質量分析による解析のためのタンパク質試料注入、ＰＣＲ増幅、ＤＮＡ解析、細胞操作、細胞分離、細胞パターン化及び化学勾配形成が挙げられる。これら用途の多くは、臨床診断に対し有用性がある。
【０００４】
製薬研究を行い、臨床的に有用な技術を生むためのマイクロ流体デバイスの使用は、数多くの重要な利点を有する。第一に、このチャネル内の流体容積は通常、数マイクロリットル又はナノリットルであるため、用いる試薬及び分析物の量はごく僅かとなる。この事実は、高価な試薬にとって特に有用である。マイクロ流体デバイスの構築に用いる製作技法は、比較的安価であり、高度に精巧な多重化されたデバイスと大量生産の両方に非常に適している。マイクロエレクトロニクスと同様の様式により、マイクロ流体技術は、同一基板チップにおいて数種の異なる機能を実行するための高度に統合的なデバイスの製作を可能にする。
【０００５】
マイクロチャネル内に流体駆動を達成できる一般的な方法は２通りある。圧力駆動流において、流体は、シリンジポンプ等、容積型ポンプを用いたデバイスによりポンプ送りされる。流体をポンプ送りするためのもう一方の一般的な技法は、電気浸透ポンピングである。マイクロチャネルの壁が、多くの表面と同様に電荷を帯びていれば、対イオンの電気二重層が壁に形成されるであろう。チャネルを通って電場が印加されると、二重層におけるイオンは、異極性の電極に向けて移動する。これにより、壁付近の流体の運動が生じ、粘性力によりバルク流体の対流運動へと移行する。チャネルが、電極において開口している場合、速度プロフィールはチャネル幅全体で均一である。電気浸透効果を利用するデバイスは、化学又は生化学反応の実行に少量の電解質溶液の操作が必要とされる、マイクロ流体工学に特に応用できる。
【発明の概要】
【０００６】
一態様において、本開示は、少なくとも１個の流体チャネルと、該少なくとも１個のチャネルに電場を形成するよう構成された少なくとも一対の電極とを含むマイクロ流体デバイスであって、該少なくとも１個のチャネルの内部が、１又は複数の両親媒性層により少なくとも部分的にコーティングされたマイクロ流体デバイスを提供する。一実施形態において、１又は複数の両親媒性層は、チャネルの内部に疎水性空間を形成する。一実施形態において、少なくとも１個のチャネルは、約０．１μｍ〜約５００μｍの間の直径を有する。
【０００７】
一実施形態において、１又は複数の両親媒性層は、１又は複数の脂質層を含む。一実施形態において、１又は複数の基板を被覆する１又は複数の脂質層は、二重層を形成する。一実施形態において、１又は複数の脂質層は、紐状（worm-like）ミセルを形成する。一実施形態において、１又は複数の脂質層は、リン脂質、スフィンゴ脂質又は糖脂質の少なくとも１種を含む。例示的な実施形態において、リン脂質は、ホスファチジルコリン、ホスファチジルセリン、ホスファチジルエタノールアミン及びホスファチジルグリセロールからなる群から選択される。一実施形態において、１又は複数の脂質層は、チャネルの内部疎水性領域の容積を画定する脂肪酸アシル鎖長を有する。例示的な一実施形態において、脂肪酸アシル鎖長は、２〜３０である。一実施形態において、少なくとも１個のチャネルの内部は、１又は複数の両親媒性層により完全に被覆される。
【０００８】
一実施形態において、電場は、少なくとも１個のチャネル内に電気浸透流を生じさせる。一実施形態において、少なくとも一対の電極の各電極は、電極対の他方の電極の真正面又は該電極からオフセットして、少なくとも１個のチャネルの横方向に反対側の壁に位置する。一実施形態において、負に帯電した電極は、チャネルの一側面において延在し、正に帯電した電極は、チャネルの反対側の側面において延在する。一実施形態において、電場はＤＣ電場である。一実施形態において、電場はＡＣ電場である。
【０００９】
一実施形態において、デバイスは、少なくとも一対の電極と電気接続した電圧制御器を更に含む。一実施形態において、デバイスは、電圧制御器に作動可能に連結したコンピュータを更に含む。
【００１０】
一実施形態において、少なくとも１個のチャネルの境界は、ガラス、石英、白金、ステンレス鋼、銅、アルミニウム、ニッケル、金、チタン、セラミック、ダイヤモンド、シリコン、窒化シリコン、シリコーン、高密度ポリエチレン、ポリエチレンテレフタラート、ポリジメチルシロキサン、ポリメチルメタクリレート、ポリスチレン、酢酸セルロース、ポリイミド及びポリカーボネートからなる群から選択される１又は複数の材料により画定される。一実施形態において、デバイスは、少なくとも１個のチャネルと流体連絡した１又は複数の入力ポート及び１又は複数の出力ポートを更に含む。
【００１１】
一態様において、本開示は、少なくとも１個の流体チャネルと、少なくとも一対の電極とを有するデバイスに流体を添加することと、該少なくとも１個のチャネルに電場を供給することであって、該少なくとも１個のチャネルの内部が、１又は複数の両親媒性層により少なくとも部分的に被覆されていることと、該少なくとも１個の流体チャネルに電場を印加して、電気浸透流を発生させることとを含む、流体を循環又は伝導させる方法を提供する。一実施形態において、流体は非極性溶媒である。典型的な実施形態において、非極性溶媒は、プロパン、ブタン、ペンタン、ヘキサン、ヘプタン、オクタン、ノナン、デカン、シクロペンタン、シクロヘキサン、ベンゼン、トルエン、キシレン、スクアレン、ジエチルエーテル、ジイソプロピルエーテル、酢酸エチル、２−ブタノン、四塩化炭素、クロロホルム、塩化メチレン、テトラクロロエタン、トリクロロエタン（trichlorethane）、ジクロロエタン及び酢酸エチルからなる群から選択される。
【００１２】
一態様において、本開示は、少なくとも１個の流体チャネルと、該少なくとも１個のチャネルに電場を形成する少なくとも一対の電極とを有するデバイスであって、該少なくとも１個のチャネルの内部が、１又は複数の両親媒性層により少なくとも部分的に被覆されているデバイスに、１又は複数の反応物及び１又は複数の非極性溶媒を添加することと、該少なくとも１個の流体チャネルに電場を印加し、そこに電気浸透流を発生させて、該１又は複数の反応物を混合することとを含む、非極性溶媒において有機反応を行う方法を提供する。
【００１３】
先述の発明の概要は、ほんの一例にすぎず、決して限定を目的とするものではない。上述の例示的な態様、実施形態及び特色に加えて、図面及び次の詳細な説明を参照することにより、更に別の態様、実施形態及び特色が明らかになるであろう。
【図面の簡単な説明】
【００１４】
【図１】非極性溶媒輸送のための両親媒性層を含有するマイクロ流体チャネルの断面図の略図である。
【図２】小胞破裂による、マイクロ流体チャネルにおける両親媒性層形成の略図である。
【図３】支持された脂質二重層を形成するための技法の略図である。図３ａは、脂質単層を通して親水性基板を引き抜き、順次、それを別の脂質単層に水平に押し付けるラングミュア・ブロジェット技法の例示的な一実施形態である。図３ｂは、表面に吸着し自発的に融合させて、固体に支持された脂質二重層を形成する、溶液中の小胞の例示的な一実施形態である。図３ｃは、ラングミュア・ブロジェット及び小胞融合プロセスの組合せを示す例示的な一実施形態である。
【図４】脂質二重層の形成と、続く二重層のチャネルへの移動に用いることのできる形態変化を示す例示的な一実施形態を示す図である。移動は、圧力を加えられた脂質二重層の分離により達成され得る。
【図５】水溶液中における雲母上の２つの吸着（支持）された二重層の半融合を示す例示的な一実施形態を示す図である。クリティカルブレークスルー（critical breakthrough）工程Ｃに続き、工程Ｅにおいて単一の半融合二重層が残るまで、融合した外側の単層から脂質が滑り出す。
【図６】２つの脂質二重層が、チャネル中へと融合される仕方の例示的な一実施形態を示す図である。融合は、図５に示す機序により行われる。より多くの脂質二重層欠損が、２つの二重層の融合を促進する。
【発明を実施するための形態】
【００１５】
次の詳細な説明において、本明細書の一部を構成する添付の図面が参照される。図面において、同様の符号は、通常、文脈がそれ以外を示さない限り、同様の構成要素を特定する。詳細な説明、図面及び特許請求の範囲に記載されている例示的な実施形態は、限定を目的としない。本明細書に提示される主題の精神又は範囲から逸脱することなく、他の実施形態を利用し、他の変更を施してもよい。
【００１６】
本技術は、他に断りがなければ、単数形（「ａ」、「ａｎ」及び「ｔｈｅ」）の使用が、複数形の記述を含むよう本明細書において記載されている。よって、例えば、「単数のチャネル」についての記述は、複数のチャネルを含む。
【００１７】
マイクロ流体デバイスにおける溶媒の輸送は、電気浸透流（ＥＯＦ）によって促進され得る。ＥＯＦは、キャピラリチューブ又はマイクロチャネルを通して印加された電位によって誘導される液体の運動である。マイクロチャネルを通して電圧が印加されると、イオン移動が行われる。陽イオン（カチオン）は、陰極へと引き付けられ、陽極から遠ざけられ、陰イオン（アニオン）は、反対方向へと押しやられる。カチオンは、固体境界層に沿って移動するため、その水和水を引きずり、その周囲の流体に粘性抵抗を生じる。ＥＯＦは、マイクロ流体デバイス内に流体の流れを生じる非常に効率的な仕方を提供する。電気浸透ポンプは、毎分数ミリリットルもの速さの流速と、数百気圧もの大きさの圧力を生じ得る。一態様において、本開示は、ＥＯＦを用いて非極性溶媒を輸送できるマイクロ流体デバイスを提供する。大部分の有機化学反応は、非極性溶媒、又は非極性及び極性の組合せにおいて行われる。従って、ＥＯＦ技法を用いたマイクロリアクタにおける非極性溶媒の輸送は、創薬におけるハイスループットスクリーニングアッセイ、イムノアッセイ、診断、遺伝子解析、その他の実施等が挙げられるが、これらに限定されない種々の文脈において有用となり得る。
【００１８】
一部の実施形態において、両親媒性分子（例えば、１又は複数の脂質層に配置される）は、ＥＯＦによるマイクロチャネルを通した非極性溶媒反応混合物の輸送に用いられる。両親媒性分子の親水性の荷電頭部基は、マイクロチャネル壁と相互作用する対イオンと会合する。疎水性尾部は内側を向き、非極性溶媒を封入する内部空間（又は内腔）をチャネル内に形成する。チャネルに電荷が印加されると、対イオンの運動により、両親媒性分子及び溶媒がＥＯＦによりチャネル内を動く。非極性区域の容積は、炭化水素鎖の鎖長又は二重結合の程度を変動させることにより調節される。
【００１９】
図１は、マイクロ流体デバイスがチャネルを含有する一実施形態を概略的に図示する。本実施形態において、デバイスは、４壁チャネルを形成するよう構築されているが、デバイスは、３壁囲まれたチャネル、チューブ又は他の形状を形成してもよい。デバイスを断面図で示しているため、図中に２側面のみ描写されている。チャネル断面図中に２層の脂質層が示されているが、脂質層は、極性頭部基（polar head group）とチャネル壁の荷電表面との相互作用により、チャネル壁と実質的に一致するチューブをインタクトなチャネル内に形成する。脂質層により形成されたチューブの内部は、非極性溶媒を含有する。デバイスは、電位を発生するための一対の電極をチャネルの両末端に含む。電極に電圧が印加されると、チャネル内にＥＯＦが生じ、それと共に脂質チューブ及び非極性溶媒が動くように、陰極はチャネルの一末端に配置され、陽極は反対の末端に配置される。
【００２０】
要約すると、電離可能な荷電官能基を帯びる（それでコーティングされた）表面を有するチャネル内に流体が置かれると、ＥＯＦが生じる。例示的な一実施形態において、チャネルは、電離可能なヒドロキシル基を有する、エッチングしたガラスチャネル又はガラスミクロキャピラリとなることができる。荷電官能基の性質は、より詳細に後述する通り、チャネル壁を形成する材料及び該材料（mateiral）に付す処理に応じて変動し得る。ヒドロキシル官能基の場合、中性ｐＨにおける電離は、例えば、表面から流体へのプロトン放出を生じ、表面付近の流体におけるカチオン性化学種の局在化をもたらす。これにより、チャネルにおけるバルク流体の周囲に正電荷を持つシース（sheath）が生じる。チャネルの一末端から他の一末端への電圧勾配の印加は、電圧降下の方向に、即ち、陰極に向けてカチオンシースを動かし、バルク流体及び脂質分子をそれに沿って動かす。
【００２１】
用語「チャネル」又は「チャンバ」は、広義で用いる。よって、この用語は、横又は縦方向の寸法が、直径又は断面の寸法を大幅に超える細長い立体構造への限定を企図しない。寧ろ、このような用語は、液体が通過し得る３若しくは４壁チャネル又はチューブ等、いかなる所望の形状又は立体構造の空洞又はトンネルを含むことも意図する。このような流体空洞として、例えば、流体が継続的に通過するフロースルーセル、或いは規定の個別量の流体を規定の時間収容するためのチャンバを挙げることができる。「チャネル」及び「チャンバ」は、例えば、バルブ、フィルタ並びに類似又は均等な構成要素及び材料を含む内部構造で充填又はそれを含有することができる。
【００２２】
本明細書における用語「マイクロ流体デバイス」は、いかなる制限もなく、流体（複数可）を通過又は導くことができる、１又は複数の寸法が５００ミクロン未満である構造又はデバイスを意味すると理解されたい。更に、このようなデバイスは、本明細書に記載されている材料のいずれか並びにこのような材料と類似又は均等な材料の組合せを用いて構築することができる。
【００２３】
一部の実施形態において、本開示のデバイス及び方法は、マイクロ流体デバイスにおいて材料を流動するため及び／又は２種以上の材料を混合するために用いることができる。一部の実施形態において、デバイスは、化学反応を行うために用いられる。一部の実施形態において、デバイスは、試料を特徴に関してスクリーニングする方法のために用いられる。一部の実施形態において、デバイスは、材料を分注する方法のために用いられる。一部の実施形態において、デバイスは、材料を分離する方法のために用いられる。
【００２４】
デバイス及び基板
開示されているデバイスは、通常マイクロ流体チャネルの境界を画定するよう機能する基板を含む。マイクロデバイスにおける流体チャネルを画定する基板を形成するために、いかなる適切な材料を用いてもよい。用いられる材料は、有機でも無機でもよく、透明でも半透明でも不透明でもよい。基板に適切な材料として、シリコン（単結晶又は多結晶）、シリコン上のコーティング（例えば、窒化シリコン）、シリコーン、ガラス、石英、白金、ステンレス鋼、銅、アルミニウム、ニッケル、金、チタン、セラミック、ダイヤモンド及び／又はプラスチックを挙げることができるが、これらに限定されない。追加的な基板として、ポリアルキレン重合体及び共重合体、フルオロカーボン重合体及び共重合体、ポリエステル重合体及び共重合体、ポリエーテル重合体及び共重合体、シリコーン重合体及び共重合体並びにポリウレタン重合体及び共重合体を挙げることができるが、これらに限定されない。用いることのできる他の重合体として、ポリエチレン、ポリプロピレン、ポリテトラフルオロエチレン、ポリ（テトラフルオロエチレン−コ−ヘキサフルオロプロペン）、変性エチレン−テトラフルオロエチレン共重合体、エチレン塩化三フッ化エチレン共重合体、フッ化ポリビニリデン、ポリエチレン・オキシド、ポリエチレンテレフタラート、シリコーン、ポリウレタン、ポリエーテル・ブロック・アミド及びポリエーテルエステルが挙げられるが、これらに限定されない。適切な材料は、ポリメチルメタクリレート（ＰＭＭＡ）、ポリカーボネート、ポリテトラフルオロエチレン（ＴＥＦＬＯＮ（登録商標））、ポリ塩化ビニル（ＰＶＣ）、ポリジメチルシロキサン（ＰＤＭＳ）、ポリスルホン、ポリスチレン、ポリメチルペンテン、ポリプロピレン、ポリエチレン、フッ化ポリビニリジン（polyvinylidine fluoride）、ＡＢＳ（アクリロニトリル−ブタジエン−スチレン共重合体）、その他等が挙げられるが、これらに限定されないプラスチックも含む。特定の例において、基板はガラスとなることができる。別の例示的な一実施形態において、基板はポリジメチルシロキサン（ＰＤＭＳ）となることができる。
【００２５】
マイクロ流体デバイスは、任意の適切なプロセスに従って作製することができる。例えば、材料の本体の部分を除去して、チャネルから複数の壁部材を形成することができる。これらの実施形態において、壁部材は、基板と一体的に形成することができる。適切な材料除去プロセスの例として、バルクマイクロマシニング、犠牲マイクロマシニング、集束イオンビームミリング、静電放電機械加工、超音波ドリリング、レーザーアブレーション、機械的ミリング及び熱成形技法が挙げられるが、これらに限定されない。従来のフォトリソグラフィ及びエッチングプロセスを用いて、本体をエッチングし、本体に複数の壁部材及び流体チャネルを形成することができる。例えば、反応性イオンエッチング（ＲＩＥ）又はディープ反応性イオンエッチング（ＤＲＩＥ）、或いはウェットエッチング等、エッチングプロセスを用いて、適切な材料本体をエッチングすることができる。一部の実施形態において、壁部材及びその下部の基板は、成形により形成することができる。他の実施形態において、壁部材は、基板上に形成することができる。壁部材を本体上に形成、或いは本体と接合して、複数の流体チャネルを形成することもできる。例えば、壁部材は、電気めっき（例えば、高アスペクト比めっき）により形成することができる。必要に応じて、マイクロデバイスに流体チャネルを形成した後、流体チャネルを画定する表面を、接着層、カップリング剤、或いは流体チャネルを流れる流体と潜在的に相互作用し得る物質等が挙げられるが、これらに限定されない材料でコーティングしてもよい。ポリマーデバイスは、利用できる微細加工技法を用いて、或いは微細加工した原盤から射出成形、エンボス加工又はスタンピング等、成形技法を用いて、或いはポリマー前駆物質材料を金型内で重合させることによって容易に製造される。
【００２６】
デバイスのチャネル部分は、十分なＥＯＦを生じるために、通常、それと会合する荷電官能基を有するチャネル表面を少なくとも部分的に包む。適切な表面電荷を有する基板材料を提供するために、ファン・デル・ワールス力、水素結合若しくは静電相互作用による吸着修飾；シラン結合による直接共有結合修飾；又はシラン若しくは重合体リンカーによる間接共有結合修飾が挙げられるが、これらに限定されない種々の方法を用いることができる。
【００２７】
シリカベースの基板の場合、チャネルのエッチング表面上に存在する負電荷を持つヒドロキシル基は通常、このようなチャネルに沿った電圧勾配の印加により十分なＥＯＦを発生するのに十分である。表面官能化に適した一連のシリコンベースの分子が市販されている。適切な分子は、購入しても、ｄｅ  ｎｏｖｏ合成しても、或いは利用できる分子の修飾により形成して、所望の構造及び／又は特徴を有する分子を作製してもよい。例として、数多くのシロキサン官能化試薬における反応基は、ヒドロキシアルキルシロキサン、ジオール（ジヒドロキシアルキル）シロキサン、アミノアルキルシロキサン及び二量体第二級アミノアルキルシロキサンが挙げられるが、これらに限定されない他の有用な官能基へと変換することができる。
【００２８】
ポリプロピレン等、プラスチックで構築された基板のため、表面をクロム酸酸化により誘導体化し、その後、ヒドロキシル化又はアミノメチル化表面へと変換することができる。更に、高度に架橋したジビニルベンゼンで構成された基板は、クロロメチル化と続く官能基操作により表面誘導体化することができる。開示されているデバイスの構成要素は、通常、それと共にデバイスが用いられデバイスと接触する特定の脂質、両親媒性物質、分析物及び試薬と適合する。デバイスは、両親媒性膜を含有し、生物学的又は化学的物質の分析に用いることができる。従って、デバイスは、解析しようとする特定の化合物と反応したり、これを分解したり、或いは決してこれに有害な影響を及ぼすべきではない。更に別の一態様において、デバイスは、生物学的又は化学的用途及び調製に用いられる通常の溶媒に対し安定的となり、この劣化に抵抗性となるべきである。
【００２９】
例示的な一実施形態において、マイクロ流体デバイスのチャネル及び／又はチャンバは、通常、下基板又は部分の上部表面におけるマイクロスケールの溝又はくぼみ（indentation）として微細加工技法を用いて製作される。上部分又は基板も、第一の平面的表面と、第一の平面的表面の反対側の第二の表面とを包む。一部の実施形態において、上部分は、例えば、第一の平面的表面から第一の平面的表面の反対側の第二の表面へと向かう複数の開口部、穴又はポートも含む。続いて、上基板の第一の平面的表面を下基板の平面的表面と嵌合させる、例えば、それと接触させて接合し、下基板の表面における溝及び／又はくぼみを被覆及び密封して、これら２個の構成要素の接合部分においてデバイスのチャネル及び／又はチャンバ（即ち、内部部分）を形成する。デバイスの上部分における穴は、下基板における溝又はくぼみに由来する、デバイスの内部部分に形成されたチャネル及び／又はチャンバの少なくとも１個と穴とが連絡するよう方向づけられる。完成したデバイスにおいて、これらの穴は、デバイスの内部部分のチャネル又はチャンバへの流体又は材料導入を容易にするためのリザーバ（reservoir）として機能すると共に、電極をデバイス内の流体と接触させて置くことのできるポートを提供し、デバイスのチャネルに沿った電場の印加を調節して、デバイス内の直接的な流体輸送を可能にする。
【００３０】
両親媒性層
一部の実施形態において、マイクロ流体デバイスのチャネル内部は、脂質層等、１又は複数の両親媒性層によって少なくとも部分的に又は完全にコーティングされている。用語「少なくとも部分的にコーティング」は、コーティング材料が表面上に存在するが、表面を完全に被覆する必要がないことを意味する。例えば、コーティング材料は、表面の約１０％以上、或いは表面の最大約９８％又は約１００％を不連続的又は連続的に被覆し得る。一部の実施形態において、コーティングは、表面の約２０％〜約９０％を被覆する。表面は、ＥＯＦの前又はその間に１又は複数の両親媒性層で少なくとも部分的にコーティングすることができる。一実施形態において、両親媒性分子は、ＥＯＦ開始前にマイクロ流体デバイスにおけるチャネルに添加される。別の一実施形態において、ＥＯＦが適用され、流体がチャネルを通って引き寄せられたときに、リザーバにおける両親媒性分子が、デバイス内に形成された層を補充するように、両親媒性分子は、チャネルと流体連絡したリザーバに添加される。
【００３１】
一般に、１又は複数の両親媒性層を作製するため、自己集合できるいかなる脂質を用いてもよい。脂質は、約４炭素〜約２４炭素以上の尾部を有し得る。一部の実施形態において、脂質は、約１２炭素〜約１８炭素の尾部を有する。１又は複数の両親媒性層の作製に用いる脂質は、このような脂質の混合物となることができ、異なる脂質は、ほぼ同じ長さ又は異なる長さの尾部を有し得るため、即ち、異なる長さの尾部を有する脂質を組み合わせることができる。
【００３２】
脂質は、親水性及び親油性特性の両方を保持する分子であればいかなる両親媒性分子であってもよい。脂質は、ホスファチジルコリン、ホスファチジルエタノールアミン、ホスファチジルグリセロール、ホスファチジルセリン、ホスファチジルイノシトール若しくはスフィンゴミエリン又は上述いずれか１又は複数の混合物となることができるが、これらに限定されない。脂質は、異なる膜脂質の混合物、例えば、ホスファチジルコリン及びホスファチジルエタノールアミンの混合物となることができる。
【００３３】
一実施形態において、本明細書に開示されている両親媒性層は、アニオン性脂質を含むことができる。いかなるアニオン性脂質を用いてもよい。適切なアニオン性脂質は、洗剤、シャンプー、石鹸等に一般に用いられており、市販のものを入手しても、本技術分野で公知の方法によって調製してもよい。アニオン性脂質として、アルキルベンゼン・スルホン酸塩（洗剤）、脂肪酸ベースの界面活性剤、ラウリル硫酸（例えば、発泡剤）、ジアルキル・スルホコハク酸塩（例えば、湿潤剤）、リグノスルホン酸塩（例えば、分散剤）、その他やこれらの混合物が挙げられるが、これらに限定されない。他の非限定的な例において、直鎖アルキルベンゼンスルホン酸、ラウリルエーテル硫酸ナトリウム、アルファオレフィンスルホン酸塩、リン酸エステル、スルホコハク酸ナトリウム、ヒドロトロープ、その他や、これらの混合物を用いることができる。
【００３４】
別の一実施形態において、本明細書に開示されている両親媒性層は、カチオン性脂質を含むことができる。いかなるカチオン性脂質を用いてもよい。適切なカチオン性脂質として、第４級アンモニウム化合物（例えば、テトラアルキルアンモニウム塩、ピリジニウム塩、イミダゾリニウム塩、その他）が挙げられるが、これらに限定されない。このようなカチオン性脂質は、市販のものを入手しても、本技術分野で公知の方法によって調製してもよい。例示的な一実施形態において、ホスファチジルコリン又はホスファチジルセリン等が挙げられるがこれらに限定されないカチオン性リン脂質が、マイクロ流体デバイス内部に先ず吸着され、両親媒性物質の極性頭部におけるカチオン性電荷が、シリカ又はシリケート等、物品の負の表面電荷に吸着することができる。
【００３５】
別の一実施形態において、本明細書に開示されている両親媒性層は、非イオン性脂質を含むことができる。いかなる非イオン性脂質を用いてもよい。適切な非イオン性脂質は、アルコール、フェノール、エーテル、エステル又はアミド等が挙げられるが、これらに限定されず、その親水性基が、非解離性型であるため、水溶液中で電離しない。これらは、エーテル（例えば、グリセリン、ソルビトール（solbitole）、ショ糖等の多価アルコール等）、脂肪酸エステル（例えば、グリセリン脂肪酸エステル、ソルビタン（sobitan）脂肪酸エステル、ショ糖脂肪酸エステル等）、エステル（例えば、例えば、高級アルコール、アルキル−フェノール、その他等、ヒドロキシルラジカルを有する材料にエチレンオキシドを加えることにより生成される化合物）、エーテル／エステル（例えば、エステル結合及びエーテル結合の両方を分子内に有する脂肪酸又は多価アルコール脂肪酸エステルに、例えばエチレンオキシドを加えることにより生成される化合物）及び他の型（例えば、脂肪酸アルカノール−アミド型又はアルキルポリグリセリド型）として分類することができる。非イオン性脂質の他の適切な例として、アルコールエトキシレート及びアルキルフェノールエトキシレート（ethyoxylates）、脂肪族アミンオキシド、アルカノールアミド、エチレンオキシド／酸化プロピレンブロック共重合体、アルキルアミンエトキシレート、チゲルコール（tigercol）潤滑剤等を挙げることができるが、これらに限定されない。
【００３６】
別の一実施形態において、本明細書に開示されている両親媒性層は、双極性脂質を含むことができる。いかなる双極性脂質を用いてもよい。適切な双極性脂質（両性又は双性イオンと称する）は、アニオン性及びカチオン性解離の両方を呈示する。双極性脂質の例として、ベタイン又はスルホベタインのような生成物並びにアミノ酸及びリン脂質等の天然物質が挙げられるが、これらに限定されない。
【００３７】
別の一実施形態において、本明細書に開示されている両親媒性層は、両親媒性分子を形成する追加的な膜を含むことができる。いかなる両親媒性分子を用いてもよく、その例は、マルチブロック共重合体を含む。ブロック共重合体の適切な例として、ポリ（メチルオキサゾリン）−ポリ（ジメチルシロキサン）−ポリ（メチルオキサゾリン）、ポリ（エチレングリコール）−ポリ（ジメチルシロキサン）−ポリ（エチレングリコール）、ポリ（エチレンオキシド）−ポリブタジエン、ポリ（エチレンオキシド）−ポリスチレン、ポリ（アクリル酸）−ポリスチレン、ポリイソプレン−ポリ（２−シンナモイルエチルメタクリレート）、ポリスチレン−（イソシアノ−Ｌ−アラニン−Ｌ−アラニン）、ポリ（エチレンオキシド）−ポリ（エチレンエチレン）、ポリ（アクリル酸）−ポリ（メチルメタクリレート）、ポリ（メタクリル酸）−ポリ（ネオペンチルメタクリレート）、ポリ（ｔ−ブチルメタクリレート）−ポリ（エチレンオキシド）、ポリ（メチルメタクリレート）−ポリ（Ｎ，Ｎ−ジメチルアクリルアミド）、ポリ（ブチルアクリレート）−ポリ（アクリル酸）、ポリ（ブタジエン）−ポリ（メタクリル酸）、ポリ（ブタジエン）−ポリ（アクリル酸）、ポリ（イソプレン）−ポリ（エチレンオキシド）、ポリ（エチレン）−ポリ（エチレンオキシド）、ポリ（エチレン−ｃｏ−ブテン）−ポリ（エチレンオキシド）、ポリ（エチレンオキシド）−ポリ（アクリル酸）、ポリ（エチレンオキシド）−ポリ（ｅｔａ−カプロラクトン）、ポリ（エチレンオキシド）−ポリ（メチルメタクリレート）、ポリ（エチレンオキシド）−ポリ（２−ヒドロキシエチルメタクリレート）、ポリ（エチレンオキシド）−ポリ（メタクリル酸）、ポリ（エチレンオキシド）−ポリ（２−メチルオキサゾリン）、ポリ（エチレンオキシド）−ポリ（プロピレンオキシド）、ポリ（エチレンオキシド）−ポリ（ｔ−ブチルアクリレート）、ポリ（エチレンオキシド）−ポリ（テトラヒドロフルフリルメタクリレート）、ポリ（エチレンオキシド）−ポリ（アクリル酸）、ポリ（エチレンオキシド）−ポリ（メチルアクリレート）、ポリ（エチレンオキシド）−ポリ（ｔ−ブチルメタクリレート）、ポリ（エチレンオキシド）−ポリ（２−エチルオキサゾリン）、ポリ（イソブチレン）−ポリ（エチレンオキシド）、ポリスチレン−ポリ（アクリル酸）、ポリスチレン−ポリアクリルアミド、ポリ（ｐ−クロロメチルスチレン）−ポリアクリルアミド、ポリ（スチレン−ｃｏ−ｐ−クロロメチルスチレン）−ポリ（アクリル酸）、ポリスチレン−ポリ（メタクリル酸）、ポリシトレン−ポリ（Ｎ，Ｎ−ジメチルアクリルアミド）、ポリ（ジメチルシロキサン）−ポリ（アクリル酸）、ポリ（ジメチルシロキサン）−ポリ（エチレンオキシド）、ポリ（２−ビニルナフタレン）−ポリ（アクリル酸）、ポリ（２−ビニルピリジン）−ポリ（エチレンオキシド）、ポリ（Ｎ−メチル  ２−ビニルピリジン）−ポリ（エチレンオキシド）、ポリ（ビニルピロリドン）−（Ｄ／Ｌ−ラクチド）、ポリ（ジメチルシロキサン）−ｂｌｏｃｋ−ポリ（２−メチルオキサゾリン）（ＰＭＯＸＡ−ＰＤＭＳ−ＰＭＯＸＡ）、ポリ（エチレンオキシド）−ポリプロピレ���オキシド）（ＥＯ−ＰＯ−ＥＯ）ポリ（アクリル酸）−ポリ（９，９−ジ−ｎ−ヘキシル−２，７０フルオレン）−ポリ（アクリル酸）、ポリ（ｎ−ブチルアクリレート）−ポリ（９，９−ジ−ｎ−ヘキシル−２，７０フルオレン）−ポリ（ｎ−ブチルアクリレート）、ポリ（ｔ−ブチルアクリレート）−ポリ（９，９−ジ−ｎ−ヘキシル−２，７０フルオレン）−ポリ（ｔ−ブチルアクリレート）、ポリ（ｔ又はｎ−ブチルアクリレート）−ポリ（メチルメタクリレート）−ポリ（ｔ又はｎ−ブチルアクリレート）、ポリ（ｔ−ブチルアクリレート）−ポリスチレン−ポリ（ｔ−ブチルアクリレート）、ポリ（エチレンオキシド）−ポリ（ジメチルシロキサン）−ポリ（エチレンオキシド）、ポリ（エチレンオキシド）−ポリスチレン−ポリ（エチレンオキシド）；ポリ（エチレンオキシド）−ポリ（メチルフェニルシラン）ペンタブロック：（ＰＭＰＳ−ＰＥＯ）２−ＰＭＳのような生成物が挙げられるが、これらに限定されない。
【００３８】
チャネルの内部は、種々の仕方により両親媒性層で少なくとも部分的に被覆することができる。一実施形態において、両親媒性層は、脂質含有小胞をチャネルに添加し、小胞を破裂させることにより、デバイスのチャネル内部に形成される。小胞が破裂すると、その結果生じた二重層パッチが縁（edge）を露出する。これらの縁は、エネルギー的に不利であり、少なくとも熱力学的観点から、表面結合した小胞又は溶液由来の小胞の破裂等、隣接する脂質材料との相互作用を促進すると予想される。吸着した小胞の密度が十分に高ければ、このようなプロセスは、数個の近接する小胞に亘って次々に起こる破裂現象において伝播し、伸長した二重層パッチを形成することができる。図２は、小胞破裂を用いてチャネル内に脂質層を形成する仕方を図示する略図である。図２Ａは、その支持体により誘導された変形による、自発的な単離吸着小胞破裂を示す。図２Ｂは、近接する吸着小胞が融合し、最終的に破裂し得る仕方を示す。図２Ｃは、支持された二重層パッチの活性の高い縁が、近接する小胞の破裂を誘導し得る仕方を示す。図２Ｄは、数個の近接する小胞の共同作用が、第一の小胞（臨界小胞被覆の）破裂をもたらし得る仕方を示す。これにより露出した活性の高い縁は、隣接する小胞の破裂を誘発し得る。例えば、Ｌａｎｇｍｕｉｒ、２２巻、８号、２００６、３４９９を参照されたい。
【００３９】
デバイスのチャネル内部に両親媒性層を形成するための方法の別の一実施形態において、脂質二重層が固体支持体に形成され、続いて、チューブ又はチャネルへと移動される。一実施形態において、支持された脂質二重層は、自己集合により形成される。レシチン及び臭化セチルトリメチルアンモニウム（ＣＴＡＢ）は両者共に、水溶液から吸着させて、雲母（用いた雲母の表面積１〜２ｃｍ２）上に「自己集合した」二重層を形成することができる。ＣＴＡＢは、その高臨界ミセル濃度０．８ｍＭのため、溶液から容易に吸着される（Ｈｅｌｍ、Ｃ．、Ｉｓｒａｅｌａｃｈｖｉｌｉ、Ｊ．、ＭｃＧｕｉｇｇａｎ、Ｐ．、Ｒｏｌｅ  ｏｆ  Ｈｙｄｒｏｐｈｏｂｉｃ  Ｆｏｒｃｅｓ  ｉｎ  Ｂｉｌａｙｅｒ  Ａｄｈｅｓｉｏｎ  ａｎｄ  Ｆｕｓｉｏｎ、Ｂｉｏｃｈｅｍｉｓｔｒｙ、１９９２、３１、１７９４〜１８０５、Ｉｓｒａｅｌａｃｈｖｉｌｉ、Ｊ．Ｎ．、Ｐａｓｈｌｅｙ、Ｒ．Ｍ．（１９８２）Ｊ．Ｃｏｌｌｏｉｄ  Ｉｎｔｅｒｆａｃｅ  Ｓｃｉ．９８、５００）。他のレシチン二重層は、石英への蒸着（deposition）及びクロロホルム蒸発により形成することができる（Ｓｔａｒｒ、Ｔ．、Ｔｈｏｍｐｓｏｎ、Ｎ．、Ｆｏｒｍａｔｉｏｎ  ａｎｄ  Ｃｈａｒａｃｔｅｒｉｚａｔｉｏｎ  ｏｆ  Ｐｌａｎａｒ  Ｐｈｏｓｐｈｏｌｉｐｉｄ  Ｂｉｌａｙｅｒｓ  ｓｕｐｐｏｒｔｅｄ  ｏｎ  ＴｉＯ２  ａｎｄ  ＳｒＴｉＯ３  Ｓｉｎｇｌｅ  Ｃｒｙｓｔａｌｓ、Ｌａｎｇｍｕｉｒ  ２０００、１６、１０３０１〜１０３０８）。
【００４０】
別の一実施形態において、支持されたリン脂質二重層は、ラングミュア・ブロジェット技法及び小胞融合により平面支持体上に形成することができる。第一の方法は、ラングミュア・ブロジェット技法による空気−水界面からの脂質下部リーフレット（lower leaflet）の移動に関与する（図３ａ）。この後、基板を水平に押し沈めて第二の層を作製することに関与するラングミュア・シェーファーの手順により上部リーフレットの移動が行われる。支持された二重層形成の第二の方法は、小胞の水性懸濁液から基板表面への吸着及び融合である（図３ｂ）。また、先ず、ラングミュア・ブロジェット技法により単層を移動し、次に、小胞を融合して上部層を形成することにより、この２通りの方法の組合せを利用することもできる（図３ｃ）。Ｃａｓｔｅｌｌａｎａ、Ｅ．、Ｃｒｅｍｅｒ、Ｐ．、Ｓｏｌｉｄ  ｓｕｐｐｏｒｔｅｄ  ｌｉｐｉｄ  ｂｉｌａｙｅｒｓ：Ｆｒｏｍ  ｂｉｏｐｈｙｓｉｃａｌ  ｓｔｕｄｉｅｓ  ｔｏ  ｓｅｎｓｏｒ  ｄｅｓｉｇｎ、Ｓｕｒｆａｃｅ  Ｓｃｉｅｎｃｅ  Ｒｅｐｏｒｔｓ、６１（２００６）４２９〜４４４。
【００４１】
一実施形態において、固体により支持された脂質二重層が形成されると、脂質二重層はマイクロ流体デバイスのチャネルへと動かされる。脂質二重層をチャネルへと動かす一つの仕方は、支持された二重層（自己集合又は前述の他の方法による）を形成し、続いてこれを形態変化を経てチャネルへと動かすことにより為される。例示的な一実施形態を図４に示すが、種々の形態変化を用いることができる。チャネルへの移動は受動的となり得るが、これは表面エネルギーの勾配を表面上に形成することにより達成でき、或いは移動はＥＯＦにより能動的となり得る。脂質二重層がチャネルへと動くと、ＥＯＦによる能動的な運動が主流となり得る。脂質二重層を分離して、チャネルを通じて一部分を動かすことができる。
【００４２】
別の一実施形態において、支持された二重層を２層形成し、続いて融合によりこれらを一体に連結することにより、脂質二重層をチャネルに形成することができる（図５）（Ｈｅｌｍ、Ｃ．、Ｉｓｒａｅｌａｃｈｖｉｌｉ、Ｊ．、ＭｃＧｕｉｇｇａｎ、Ｐ．、Ｒｏｌｅ  ｏｆ  Ｈｙｄｒｏｐｈｏｂｉｃ  Ｆｏｒｃｅｓ  ｉｎ  Ｂｉｌａｙｅｒ  Ａｄｈｅｓｉｏｎ  ａｎｄ  Ｆｕｓｉｏｎ、Ｂｉｏｃｈｅｍｉｓｔｒｙ  １９９２、３１、１７９４〜１８０５）。例えば、チャネル壁材料は、上部及び下部が雲母様の材料となり、チャネル側面が窒化シリコンとなることができる（開口部における二重層の形成には同一材料が用いられ、そこで、窒化シリコンが二重層の縁と接触する（図６））。
【００４３】
一実施形態において、１又は複数の両親媒性層は、紐状ミセルを形成する。紐状ミセルは、両親媒性物質の凝集により形成された細長い柔軟な自己集合構造である。これらは閾値濃度を超えると絡まり合い、重合体溶液を連想させる動的なネットワークとなり、顕著な粘弾性特性を示す。紐状ミセルは多くの産業及び技術分野において開発されてきた。最も周知且つ研究された紐状ミセル系は、比較的高濃度又は塩の存在下でミセルの成長が行われる臭化セチルトリメチルアンモニウム（ＣＴＡＢ）又は臭化セチルピリジニウム（ＣＰＢｒ）等、長い脂肪族鎖を備えるカチオン性界面活性剤である。これらの系に加えて、補助界面活性剤、添加剤、塩又は適切な対イオンの存在下で紐状ミセルを形成する多数の界面活性剤が発見された。ミセルの全体の長さは、輪郭長Ｌと称され、数ナノメートル〜マイクロメートルの間を変動する。紐状ミセルは、非常に柔軟であり、マイクロメートルの長さとなる。紐状ミセルを形成する脂質ベースの界面活性剤の中で最も広範に研究されているものの一つは、生体膜の脂質マトリクスの主要成分であり、優れた耐容性を示し無毒性であるため製剤処方においても用いられるレシチン（又はホスファチジルコリン）である。レシチンは、有機溶媒（シクロヘキサン、イソオクタン、デカン）中で巨大な逆ミセルを形成し、ミセルの成長は通常、少量の水の添加により促進される。
【００４４】
非極性溶媒は、脂質二重層へと導入することができる。一実施形態において、非極性溶媒（例えば、ヘキサン）は、気相（ヘキサン／ヘキサデカン混合物による）の調節により二重層に導入される。ヘキサンは気相において二重層に進入し、二重層中心に限局することが示される。膜内部におけるヘキサンの量は、ヘキサン蒸気圧に依存する。非極性溶媒のインターカレーションは、脂質二重層における欠損の最大化により促進され得る。非極性溶媒は、平面リン脂質二重層間における小分子ｎ−アルカンの吸着等が挙げられるが、これらに限定されない種々の方法により脂質二重層へと導入することもできる。例えば、Ｗｈｉｔｅ、Ｓ．Ｈ．、Ｋｉｎｇ、Ｇ．Ｉ．、Ｃａｉｎ、Ｊ．Ｅ．、Ｌｏｃａｔｉｏｎ  ｏｆ  Ｈｅｘａｎｅ  ｉｎ  Ｌｉｐｉｄ  Ｂｉｌａｙｅｒｓ  ｄｅｔｅｒｍｉｎｅｄ  ｂｙ  Ｎｅｕｔｒｏｎ  Ｄｉｆｆｒａｃｔｉｏｎ、Ｎａｔｕｒｅ２９０巻、１９８１、１６１頁；Ｓｍｉｔｈ、Ｒ．Ａ．、Ｐｏｒｔｅｒ、Ｒ．Ｇ．、ａｎｄ  Ｍｉｌｌｅｒ、Ｋ．Ｗ．、Ｔｈｅ  Ｓｏｌｕｂｉｌｉｔｙ  ｏｆ  Ａｎｅｓｔｈｅｔｉｃ  Ｇａｓｅｓ  ｉｎ  Ｌｉｐｉｄ  Ｂｉｌａｙｅｒｓ、Ｂｉｏｃｈｉｍｉｃａ  ｅｔ  Ｂｉｏｐｈｙｓｉｃａ  Ａｃｔ、６４５、（１９８１）３２７〜３３８頁；Ｇｒｕｅｎ、Ｄ．、Ｈａｙｄｏｎ、Ｄ．、Ｔｈｅ  Ａｄｓｏｒｐｔｉｏｎ  ｏｆ  Ｎｏｎｐｏｌａｒ  Ｍｏｌｅｃｕｌｅｓ  ｉｎｔｏ  Ｌｉｐｉｄ  Ｂｉｌａｙｅｒ  Ｍｅｍｂｒａｎｅｓ、Ｂｉｏｐｈｙｓ．、Ｊ．、３０巻、１９８０、１２９〜１３６頁；Ｐｏｐｅ、Ｊ．Ｍ．、Ｄｕｂｒｏ、Ｄ．Ｗ．、Ｔｈｅ  ｉｎｔｅｒａｃｔｉｏｎ  ｏｆ  ｎ−ａｌｋａｎｅｓ  ａｎｄ  ｎ−ａｌｃｏｈｏｌｓ  ｗｉｔｈ  ｌｉｐｉｄ  ｂｉｌａｙｅｒ  ｍｅｍｂｒａｎｅｓ：ａ  ２Ｈ−ＮＭＲ  ｓｔｕｄｙ、Ｂｉｏｃｈｅｍｉｃａ  ｅｔ  Ｂｉｏｐｈｙｓｉｃａ  Ａｃｔａ  ８５８（１９８６）２４３〜２５３を参照されたい。
【００４５】
任意の適切な非極性溶媒をデバイスにおいて用いることができる。適切な非極性溶媒の例として、プロパン、ブタン、ペンタン、ヘキサン、ヘプタン、オクタン、ノナン、デカン、ヘキサデカン、シクロペンタン、シクロヘキサン、ベンゼン、トルエン、スクアレン、キシレン、ジエチルエーテル、ジイソプロピルエーテル、酢酸エチル、２−ブタノン、四塩化炭素、クロロホルム、塩化メチレン、テトラクロロエタン、トリクロロエタン、ジクロロエタン、酢酸エチル、その他が挙げられるが、これらに限定されない。特定の一例において、有機溶液は、１：１のスクアレン：Ｎ−デカンを含む。有機溶液は、緩衝液、保存料、界面活性剤、安定剤、タンパク質又は対象の他の生体分子、その他を含有することができる。
【００４６】
細胞膜の他の成分を膜脂質に含ませ、これにより、取り込まれた細胞膜成分、例えば、受容体タンパク質、輸送タンパク質、イオンチャネルタンパク質、抗体受容体タンパク質、シグナル伝達タンパク質等を含有する膜を生成してもよい。このような成分は、マイクロ流体デバイスにおける生物学的分析の実施に有用となり得る。例えば、膜結合型タンパク質は、科学的及び技術的見地の両方から重要である。しかし、それらの研究及び応用は、タンパク質機能を維持するために安定的な脂質二重層を必要とする。一部の実施形態において、本デバイスは、ブドウ球菌タンパク質ポアａｇｒ−溶血素等、膜貫通タンパク質を挿入できる脂質二重層を提供することができる。一実施形態において、膜におけるタンパク質の存在は、膜に「ストレスを加え」、チャネルにおける二重層の変形、二重層の開裂分離、或いは交差するチャネルにおける他の脂質二重層膜との融合をより容易にすることができる。別の一実施形態において、膜タンパク質は、化学反応に関与し得る、即ち、脂質二重層に進入する前に非極性薬剤に官能基を添加する。
【００４７】
マイクロ流体デバイスの使用方法
一態様において、１又は複数の脂質層の親水性荷電頭部基及び会合した対イオンが、マイクロチャネル壁と相互作用すると、マイクロ流体チャネルを通した非極性溶液の運動が生じる。水溶液系において、脂質の極性頭部は、極性の水性環境に向かって整列するが、疎水性尾部は、自身と水との接触を最小化し、一体にクラスター化する傾向がある。ＥＯＦの過程において、脂質層は、脂質内部に含有されている非極性溶媒又は反応混合物を引き連れつつ、チャネルを通って動く。マイクロ流体チャネルを通る非極性溶液の運動は、当業者にとって公知のいずれかの仕方により調節することができる。例えば、溶液は、シリンジポンプ、外部及び内部蠕動ポンプで、真空にすることにより、電位を印加することにより、マイクロ流体チャネル上及び／又はマイクロ流体チャネルを通して気体を流し込むことにより、マイクロ流体チャネルを移動できるが、これらに限定されない。また、温度勾配は、マイクロ流体チャネルを通して大量の溶液を動かすことができる。
【００４８】
一部の実施形態において、ＥＯＦを用いて、マイクロ流体デバイスを通して非極性溶媒を動かす。ＥＯＦを発生させるため、マイクロ流体チャネル末端に電場を配備する。通常、この場は、約１００ｖ／ｃｍ〜１０００ｖ／ｃｍで実行することができる。場は、ＥＯＦ速度を決定する。より弱い場を用いることもできるが、流れはより遅くなる。溶媒の電気分解を生じなければ、より強い場を用いることができる。この場は、本技術分野で公知の種類の薄膜電極を用いて確立することができる。通常、沈殿物を形成せず、電気分解によりはっきりと認識できる気体を生じない電極が選択される。銀又は白金電極が周知であり、これを用いることができるが、スパッタリングにより成膜（deposited）できるより高い過電圧を有する他の電極の使用がより望ましいと判明する可能性もある。
【００４９】
流体の流れ調節にバルブを用いることもできる。バルブは、チャネルにブレード、カンチレバー又は栓等、外力を加えることにより作動させることができる。チャネルは、空気圧及び／又は液体圧、例えば水圧によって、静電的に、或いは磁気的に偏向され得る膜を含有することもできる。ボール、フラップ又はダイヤフラムによりマイクロチャネルに一方向又は「チェックバルブ」が形成されてもよい。
【００５０】
マイクロスケール混合及び分離コンポネントは、反応の促進及び生成物の評価に有用である。マイクロ流体デバイスにおいて、混合は、多くの場合、長さスケールの長い、湾曲した、可変的な幅の、或いは乱流を生じる特色を有するチャネルにおける拡散によって為される。混合は、電気浸透又は超音波により達成することもできる。マイクロ流体チャンバの壁は、分析物又は分析物溶液中の混入物と相互作用又は結合し得る種々のリガンドにより機能付与することもできる。このようなリガンドとして、親水性又は疎水性小分子、ステロイド、ホルモン、脂肪酸、重合体、ＲＮＡ、ＤＮＡ、ＰＮＡ、アプタマー、アミノ酸、ペプチド、タンパク質（プロテインＧ等、抗体結合タンパク質を含む）、抗体又は抗体断片（ＦＡＢ等）、抗原、酵素、炭水化物（糖タンパク質又は糖脂質を含む）、レクチン、細胞表面受容体（又はその部分）、正又は負の電荷を含有する化学種、その他が挙げられるが、これらに限定されない。
【００５１】
上に記す通り、チャネル部分は、通常、平面固体基板に製作される。電極は、チャネル末端と電気接続して配置される。これら電極に関しては、適切な電圧を電極に供給して必要な電圧勾配を生じる電源と連結される。陰極及び陽極間の電圧勾配の印加は、チャネル内にＥＯＦを伝播させる。流体の流れの方向は、印加された電圧勾配の方向と、表面電荷の性質に依存する。逆帯電であれ、多様な電荷密度を有するのであれ、２以上のチャネル間で異なった表面電荷は、周知の方法により達成することができる。例えば、表面は、例えば、アミノプロピルシラン、ヒドロキシプロピルシランその他を用いて、適切なコーティング、例えば、中性又は荷電コーティング、電荷中性化又は電荷添加試薬、例えば、保護又はキャッピング基、シラン処理（silanization）試薬その他により必要に応じて処理され、電荷密度を増強する及び／又は正味の反対表面電荷を提供する。
【００５２】
マイクロ流体デバイスの用途
様々なマイクロ流体デバイスを用いて、マイクロ流体スケールの解析を行うことができる。マイクロデバイスは、複数の壁部材により画定された複数の流体チャネルを含み得る。複数の壁部材は、２個の隣接する流体チャネルと連絡する少なくとも１個の開口部を有する少なくとも１個の壁部材を含み得る。異なるチャネルに異なる化学反応物を添加し、続いてデバイスにおいて混合することができる。
【００５３】
一部の実施形態において、デバイスを用いて、複数の異なる流体の特徴を迅速に検出することができる。流体は、有機流体、溶媒その他を含む。流体の形態にかかわらず、流体は、有機又は無機分子を含み得る。一部の実施形態において、異なる流体は、マイクロデバイスの検出領域における複数の異なる流体チャネルを通って流れる。異なる流体は、別個の特徴を持つことができ、異なる流体がマイクロデバイスの検出領域を通って流れる前に発生する事象の産物となり得る。例えば、異なる流体は、物質間の生じ得る又は実際に生じた相互作用等、上流の事象の下流における産物となり得る。事象は、２物質間の化学的若しくは生物学的反応又は２物質間の結合事象を含み得る。
【００５４】
検出できる流体の特徴は、本来的に定量的であっても定性的であってもよい。一部の実施形態において、異なる流体チャネルを流れる異なる流体の、発生した放射線（例えば光）、伝導率、ｐＨ等が挙げられるがこれらに限定されない流体の特徴を検出して、異なる流体を解析及び／又は特徴づけることができる。このような特徴は、流体における物質の種類及び／又は量と対応し得る。一部の実施形態において、検出された特徴は、流体における特定の物質の濃度又は量の直接又は間接指標として機能し得る。例えば、プロトンを含有する溶液は伝導性である。流体の伝導率又は抵抗性は、流体におけるプロトン濃度の間接指標となり得る。
【００５５】
マイクロ流体デバイスを用いてアッセイできる化学的相互作用は、例えば、酵素の触媒反応又は結合事象を含む、生物学的又は化学的成分に通常観察されるいかなる種類の相互作用であってもよい。一部の実施形態において、別個の流体試料を、生物学的又は化学的成分と相互作用するその能力に関してスクリーニングすることができる。例えば、それぞれ異なる物質を含有する異なる流体試料をマイクロデバイスにおける別個の流体チャネルを通して流すことができ、マイクロデバイスにおける別個の反応部位へと送達することができる。各反応部位は、固定化成分を含んでよく、固定化成分は、異なる流体チャネルの個々の表面と結合していてよい。反応部位において、成分は、異なる流体試料と相互作用してもしなくてもよい。反応部位の下流にて、異なる流体の特徴を直接的又は間接的に検出して、異なる流体における物質の流体のいずれかが、各反応性部位における固定化成分と相互作用（例えば、一体に結合することにより）したか決定することができる。例えば、反応性部位の下流の１又は複数の検出デバイスは、流体の特徴を検出することにより、反応部位の下流を通過する流体における異なる物質の濃度を測定することができる。反応部位の下流を通過する流体における物質の濃度が、反応部位の上流の流体における物質の濃度に満たない場合、流体における物質が、固定化成分と相互作用（例えば、結合又は反応）している可能性がある。その一方、反応部位の下流の流体における物質の濃度が、反応部位の上流の物質の濃度と実質的に等しい場合、流体における物質と固定化成分との間の相互作用は殆どない又は全くない可能性がある。
【００５６】
別の一例において、異なる流体チャネルにおける異なる流体に特定の条件を適用して、この条件を適用した結果、流体又は流体における物質が変化するか調べることができる。例えば、複数の異なる流体は、異なる加熱、冷却及び照射（例えば光の）条件に付すことができる。これら事象の下流を通過する流体における特徴を検出して、条件が流体に影響を及ぼすか決定することができる。
【００５７】
一部の実施形態において、流体チャネルにおける異なる流体の特徴は、プローブを用いることにより検出することができる。プローブは、流体チャネルを画定する壁部材における開口部を通過することにより、流体チャネルを通過することができる。これら流体チャネルにおける流体の特徴は、プローブ末端を流動流体外部の環境に曝露することなく、迅速に検出することができる。実例として、ｐＨセンサのプローブを流体チャネルに置いて、該チャネルにおける流体のｐＨを検出することができる。プローブがチャネルにおける流体と接触すると、チャネルにおける流体のｐＨを検出することができる。
【００５８】
検出方法、検出アセンブリ及び分析システムは、上述のものに限定されず、任意の適切な光学的、電気的、物理的及び／又は化学的検出技法を利用することができる。流体から発する可視、赤外又は紫外放射線等、放射線は、光学的検出アセンブリである検出アセンブリにより検出することができる。プローブは、物理センサ、生物センサ、化学センサ又は電気センサを含み得る。物理センサの例として、熱電対、圧力センサ、流量センサ、光ファイバ等が挙げられる。生物センサの例として、固定化酵素又はイムノアッセイによるセンサが挙げられる。電気又は化学センサの例として、必要に応じて重合体コーティングを有するくし型電極によるセンサ、原子間力顕微鏡（ＡＦＭ）、イオン感受性電界効果トランジスタ（ＩＳＦＥＴ）、光アドレス電位応答センサ（light addressable potentiometric sensor）（ＬＡＰＳ）、ｐＨメータ及び走査プローブ電位差計（ＳＰＰ）が挙げられる。化学センサ及び電気センサは、より高価で不便な蛍光又は放射化学標識プロセスを必要としないため、光学的検出デバイスと比べて望ましい。
【００５９】
一部の実施形態において、マイクロ流体デバイスは、例えば、創薬におけるハイスループットスクリーニングアッセイ、イムノアッセイ、診断、遺伝子解析、その他の実施を含む、種々の用途で用いることができる。そのようなものとして、本明細書に記載されているデバイスは、多くの場合、複数試料の並行した又は連続的な導入及び解析のため、複数試料導入ポート又はリザーバを含む。或いは、これらのデバイスは、解析のため複数試料をデバイスに連続的に導入する試料導入ポート、例えばピペッタと連結することができる。
【００６０】
他の実施形態において、マイクロ流体デバイスは、より従来的なシステム、例えば、質量分析計、ＨＰＬＣ、ＧＣ等、従来の分析機器との接続に有用である。特に、これらのデバイスは、マイクロ流体システムからこのような機器の流体界面に、該界面による電位勾配を必要とせずに、少量の流体を注入することができる。
【実施例】
【００６１】
次の実施例により本開示を更に説明するが、実施例は、決して限定的なものと解釈するべきではない。
【００６２】
実施例１−脂質二重層を含有するマイクロ流体デバイスの製作
本実施例は、脂質二重層を含有するマイクロ流体デバイスの製作について記載する。デバイスは、シリコンウエハを通してエッチングされたチャネルからなる。シリコンデバイスは、二重研磨した（double-polished）、窒化シリコンコーティングしたｎ型Ｓｉ（１００）ウエハから製作される。製作プロセスを次に記す。先ず、Ｃ２Ｆ６プラズマ（１００Ｗ、１５ｍＴ及び２０ｍｌ  ｍｉｎ−１  Ｃ２Ｆ６）及びフォトレジストエッチングマスクを用いたフォトリソグラフィ及び反応性イオンエッチングにより、ウエハ背面の窒化シリコン膜に開口部を画定する。次に、ウエハ正面にウェルの上部領域を同様に画定する。バルクシリコンを通してエッチングし、サスペンドされた（suspended）窒化シリコン膜を作製するため４．５Ｍ  ＫＯＨ溶液中に８０℃の温度でおよそ８時間ウエハを浸漬する。ウエハを個々のデバイスへとさいの目に切った（dicing）後、続いて、デバイス両面を１００ｎｍ  ＰＥＣＶＤ窒化シリコンでコーティングすることにより、シリコンの露出領域を電気的に絶縁する。スパッタリング方法により、ウェルの各表面にＰｔ電極を形成する。各表面に直径０．１ｍｍのＰｔ線を形成し、電気浸透流ポンプを形成する。
【００６３】
接着剤を用いて、先ず、ガラス基板にエッチングされた流体チャネルの上にシリコンデバイスを接合し、次に、シリコンチップの上部表面の上にガラスウェルを接合して、上部及び下部流体リザーバを作製する。チャネルに脂質層を形成するため、先ず、チャネルに電解質溶液（１Ｍ  ＫＣｌ）を充填する。次に、ｎ−デカンで希釈した１〜２μｌの１ｍｇ  ｍｌ−１  １，２−ジフィタノイル−ｓｎ−グリセロ−３−ホスホコリンをチャネルに添加して、両親媒性層を形成する。適切な非極性溶媒を添加すると、これは、両親媒性（amphiliplic）層の間、即ちチャネルの内部に局在する。
【００６４】
本開示は、本願に記載されている特定の実施形態に限定されるものではない。その精神及び範囲から逸脱することなく、多くの修正及び変更を施すことができることは、当業者であれば明らかである。本明細書に列挙されている方法及びデバイスに加えて、本開示の範囲内にある機能的に均等な方法及び装置は、当業者であれば上述の説明から明らかであろう。このような修正及び変更は、添付の特許請求の範囲の内に収まるよう企図されている。本開示は、このような特許請求の範囲が標題とする均等物の全範囲と共に、添付の特許請求の範囲の用語によってのみ限定されるべきである。本開示は、特定の方法、試薬、化合物、組成物又は生物系に限定されず、これらは当然のことながら変動し得ることを理解されたい。本明細書に用いられている専門用語は、特定の実施形態の説明のみを目的とし、限定を目的としないことも理解されたい。
【００６５】
更に、本開示の特色又は態様が、マーカッシュグループによって記載されている場合、当業者であれば、本開示が、これによりマーカッシュグループのいかなる個々のメンバー又はメンバーの下位グループに関しても記載されていることを認めるであろう。
【００６６】
あらゆる目的のため、特に明細書の提供に関して、本明細書に開示されているあらゆる範囲が、そのあらゆる可能な部分範囲（subrange）及び部分範囲の組合せも含むことは、当業者であれば理解できるであろう。列挙されている範囲のいずれも、同範囲の少なくとも２等分、３等分、４等分、５等分、１０等分等への分解を十分に説明し、これを可能にしていると容易に認めることができる。非限定的な例として、本明細書に記されている各範囲は、下１／３、中１／３及び上１／３等へと容易に分解することができる。当業者であれば、「最大」、「少なくとも」、「を超える」、「未満」その他等のあらゆる語句は、列挙されている数を含み、その後、上に記す通り部分範囲へと分解できる範囲を意味することも理解できるであろう。最後に、範囲が、個々のメンバーそれぞれを含むことは、当業者であれば理解できるであろう。よって、例えば、１〜３単位を有する群は、１、２又は３単位を有する群を意味する。同様に、１〜５単位を有する群は、１、２、３、４又は５単位を有する群を意味する、等々。
【００６７】
様々な態様及び実施形態を本明細書に開示してきたが、当業者であれば他の態様及び実施形態も明らかであろう。本明細書に開示されている様々な態様及び実施形態は、説明のためのものであり、限定を目的とせず、真の範囲及び精神は、次の特許請求の範囲により示されている。
【００６８】
本明細書に引用されているあらゆる参考文献は、あたかも個々の刊行物、特許又は特許出願を特に、また個々に、参照によりその全体をあらゆる意味で援用するのと同じ範囲まで、ここに本明細書の一部を構成するものとしてその全体をあらゆる意味で援用する。
【図１】
2013536434.tif 000003
【図２（Ａ）】
2013536434.tif 000004
【図２（Ｂ）】
2013536434.tif 000005
【図２（Ｃ）】
2013536434.tif 000006
【図２（Ｄ）】
2013536434.tif 000007
【図３】
2013536434.tif 000008
【図４】
2013536434.tif 000009
【図５】
2013536434.tif 000010
【図６】
2013536434.tif 000011
【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
少なくとも１個の流体チャネルと、前記少なくとも１個のチャネルに電場を形成するよう構成された少なくとも一対の電極とを含むマイクロ流体デバイスであって、前記少なくとも１個のチャネルの内部が、非極性溶媒を囲む１又は複数の両親媒性層により少なくとも部分的にコーティングされているマイクロ流体デバイス。
【請求項２】
前記１又は複数の両親媒性層が、１又は複数の脂質層を含む、請求項１に記載のデバイス。
【請求項３】
前記１又は複数の脂質層が、紐状ミセルを形成する、請求項２に記載のデバイス。
【請求項４】
前記１又は複数の脂質層が、少なくとも１種のリン脂質、スフィンゴ脂質又は糖脂質を含む、請求項２に記載のデバイス。
【請求項５】
前記リン脂質が、ホスファチジルコリン、ホスファチジルセリン、ホスファチジルエタノールアミン及びホスファチジルグリセロールからなる群から選択される、請求項４に記載のデバイス。
【請求項６】
前記１又は複数の脂質層が、前記チャネルの内部疎水性領域の容積を画定する脂肪酸アシル鎖長を有する、請求項２に記載のデバイス。
【請求項７】
前記脂肪酸アシル鎖長が、約２μｍ〜約３０μｍである、請求項６に記載のデバイス。
【請求項８】
前記少なくとも１個のチャネルの内部が、前記１又は複数の両親媒性層により完全に被覆されている、請求項１に記載のデバイス。
【請求項９】
前記少なくとも１個のチャネルが、約０．１μｍ〜約５００μｍの直径を有する、請求項１に記載のデバイス。
【請求項１０】
前記少なくとも一対の電極と電気接続した電圧制御器を更に含む、請求項１に記載のデバイス。
【請求項１１】
前記少なくとも１個のチャネルの境界が、ガラス、石英、白金、ステンレス鋼、銅、アルミニウム、ニッケル、金、チタン、セラミック、ダイヤモンド、シリコン、窒化シリコン、シリコーン、高密度ポリエチレン、ポリエチレンテレフタラート、ポリジメチルシロキサン、ポリメチルメタクリレート、ポリスチレン、酢酸セルロース、ポリイミド及びポリカーボネートからなる群から選択される１又は複数の材料から構成される、請求項１に記載のデバイス。
【請求項１２】
前記少なくとも１個のチャネルと流体連絡した１又は複数の入力ポート及び１又は複数の出力ポートを更に含む、請求項１に記載のデバイス。
【請求項１３】
少なくとも１個の流体チャネルと、前記少なくとも１個のチャネルに電場を供給するよう構成された少なくとも一対の電極とを含むマイクロ流体デバイスに、非極性流体を添加することであって、前記少なくとも１個のチャネルの内部が、１又は複数の両親媒性層により少なくとも部分的にコーティングされている、ことと、
前記少なくとも１個の流体チャネルに電場を印加して、電気浸透流を発生させることと
を含む、非極性流体を循環又は伝導させる方法。
【請求項１４】
前記非極性流体が、プロパン、ブタン、ペンタン、ヘキサン、ヘプタン、オクタン、ノナン、デカン、シクロペンタン、シクロヘキサン、ベンゼン、トルエン、キシレン、スクアレン、ジエチルエーテル、ジイソプロピルエーテル、酢酸エチル、２−ブタノン、四塩化炭素、クロロホルム、塩化メチレン、テトラクロロエタン、トリクロロエタン、ジクロロエタン及び酢酸エチルからなる群から選択される、請求項１３に記載の方法。
【請求項１５】
前記１又は複数の両親媒性層が、１又は複数の脂質層を含む、請求項１３に記載の方法。
【請求項１６】
前記１又は複数の脂質層が、紐状ミセルを形成する、請求項１５に記載の方法。
【請求項１７】
前記１又は複数の脂質層が、前記チャネルの内部に疎水性空間を形成する、請求項１５に記載の方法。
【請求項１８】
前記１又は複数の脂質層が、少なくとも１種のリン脂質、スフィンゴ脂質又は糖脂質を含む、請求項１５に記載の方法。
【請求項１９】
前記リン脂質が、ホスファチジルコリン、ホスファチジルセリン、ホスファチジルエタノールアミン及びホスファチジルグリセロールからなる群から選択される、請求項１８に記載の方法。
【請求項２０】
前記１又は複数の脂質層が、前記チャネルの内部疎水性領域の容積を画定する約２μｍ〜約３０μｍの脂肪酸アシル鎖長を有する、請求項１５に記載の方法。
【国際調査報告】
2013536434.tif 000012
2013536434.tif 000013